(57)【要約】【目的】  再生信号のダイナミックレンジを大きくし、ノイズによる多値データの読み取りエラーをより低減する。【構成】  記録単位１０ａに対して、第１のレーザパワー制御信号により、ＬＤのレーザ光を期間ｔ１は第２のレーザパワーＰ２で、期間ｔ２は第１のレーザパワーＰ１で、期間ｔ３は第３のレーザパワーＰ３でそれぞれ照射するように照射強度を変化させ、記録マーク２を記録単位１０ａに記録し、記録単位１０ａの後半部は、期間ｔ４は第２のレーザパワーＰ２で、期間ｔ５は第１のレーザパワーＰ１で照射するように照射強度を段階的に上昇させ、記録マーク１の長さが記録単位１０ａの長さと概略一致するようにし、記録単位１０ｂ内では第３のレーザパワーＰ３まで落として一定に保持し、記録単位１０ｂにその長さとほぼ同じ長さの最大記録マーク１を記録する。【選択図】        図１
2005267739.tif 000002
【特許請求の範囲】
【請求項１】
一定の長さの記録単位を持つ情報記録媒体に、レーザ光を照射して記録単位内の記録マークの大きさが変化するように形成することによって多値データを記録する情報記録方法において、
最大記録マークが記録単位と略同じ長さで形成されるように記録することを特徴とする情報記録方法。
【請求項２】
連続する複数の記録単位に最大記録マークを連続して記録するときは、各最大記録マークがつながって形成されるように記録することを特徴とする請求項１記載の情報記録方法。
【請求項３】
前記記録単位内に最大記録マークを記録するときは、該最大記録マークを記録する記録単位の直前の記録単位の終了時点ではレーザ光の照射強度を第１の照射強度Ｐ１とし、前記最大記録マークを記録する記録単位内ではレーザ光の照射強度を第３の照射強度Ｐ３とし、前記最大記録マークを記録する記録単位の直後の記録単位の開始時点ではレーザ光の照射強度を第２の照射強度Ｐ２（但し、Ｐ１＞Ｐ２＞Ｐ３）とすることを特徴とする請求項１記載の情報記録方法。
【請求項４】
前記最大記録マークを記録する記録単位内ではレーザ光の照射強度を前記第３の照射強度Ｐ３，前記第１の照射強度Ｐ１，前記第３の照射強度Ｐ３の順に変化させることを特徴とする請求項３記載の情報記録方法。
【請求項５】
ｎ個（ｎ≧２である整数）の連続する記録単位に最大記録マークを連続して記録するときは、１番目の最大記録マークを記録する直前の記録単位の終了時点ではレーザ光の照射強度を第１の照射強度Ｐ１とし、１番目から（ｎ−１）番目の最大記録マークを記録する記録単位内ではレーザ光の照射強度を第３の照射強度Ｐ３，第１の照射強度Ｐ１，第３の照射強度Ｐ３，第１の照射強度Ｐ１の順に変化させ、ｎ番目の最大記録マークを記録する記録単位内ではレーザ光の照射強度を第３の照射強度Ｐ３，第１の照射強度Ｐ１，第３の照射強度Ｐ３の順に変化させ、ｎ番目の直後の記録単位の開始時点ではレーザ光の照射強度を第２の照射強度Ｐ２（但し、Ｐ１＞Ｐ２＞Ｐ３）とすることを特徴とする請求項２記載の情報記録方法。
【請求項６】
記録単位内に最大記録マークを記録するときは、該最大記録マークを記録する記録単位の直前の記録単位の終了時点ではレーザ光の照射強度を第１の照射強度Ｐ１とし、前記最大記録マークを記録する記録単位内ではレーザ光の照射強度を第３の照射強度Ｐ３とし、前記最大記録マークを記録する記録単位の直後の記録単位の開始時点ではレーザ光の照射強度を第１の照射強度Ｐ１（但し、Ｐ１＞Ｐ３）とすることを特徴とする請求項１記載の情報記録方法。
【請求項７】
前記最大記録マークを記録する記録単位内ではレーザ光の照射強度を第３の照射強度Ｐ３，第１の照射強度Ｐ１，第３の照射強度Ｐ３の順に変化させることを特徴とする請求項６記載の情報記録方法。
【請求項８】
ｎ個（ｎ≧２である整数）の連続する記録単位に最大記録マークを連続して記録するときは、１番目の最大記録マークを記録する直前の記録単位の終了時点ではレーザ光の照射強度を第１の照射強度Ｐ１とし、１番目から（ｎ−１）番目の最大記録マークを記録する記録単位内ではレーザ光の照射強度を第３の照射強度Ｐ３，第１の照射強度Ｐ１，第３の照射強度Ｐ３，第１の照射強度Ｐ１の順に変化させ、ｎ番目の最大記録マークを記録する記録単位内ではレーザ光の照射強度を第３の照射強度Ｐ３，第１の照射強度Ｐ１，第３の照射強度Ｐ３の順に変化させ、ｎ番目の直後の記録単位の開始時点ではレーザ光の照射強度を第１の照射強度Ｐ１（但し、Ｐ１＞Ｐ３）とすることを特徴とする請求項２記載の情報記録方法。
【請求項９】
レーザ光を照射するレーザ光照射手段を有し、一定の長さの記録単位を持つ情報記録媒体に、前記レーザ光照射手段によってレーザ光を照射して記録単位内の記録マークの大きさが変化するように形成することによって多値データを記録する情報記録装置において、
連続する第１の多値データと第２の多値データをそれぞれ保持する第１の保持手段と第２の保持手段と、前記第２の保持手段に保持された前記第２の多値データが、最大記録マークに対応する多値データであることを検出したことを示す検出信号を出力する検出手段と、該検出手段によって出力された検出信号と、前記第１の保持手段に保持された前記第１の多値データとに基づいて前記レーザ光照射手段によって照射するレーザ光の照射強度を制御する制御手段とを設けたことを特徴とする情報記録装置。
【請求項１０】
一定の長さの記録単位を持ち、その記録単位内に最大記録マークが前記記録単位と略同じ長さで形成されて記録されていることを特徴とする情報記録媒体。
【請求項１１】
連続する複数の記録単位にそれぞれ最大記録マークがつながるように形成されて記録されていることを特徴とする請求項１記載の情報記録媒体。
【発明の詳細な説明】
【技術分野】
【０００１】
この発明は、ＣＤ，ＤＶＤ等の情報記録媒体に情報を記録する情報記録方法と、上記のような情報記録媒体に情報を記録するＣＤドライブ，ＤＶＤドライブ等の情報記録装置と、ＣＤ，ＤＶＤ等の情報記録媒体に関する。
【背景技術】
【０００２】
従来、レーザ光のレーザパワー（照射強度）を３段階に変化させ、記録単位毎に各レーザパワーを保持する時間（タイミング）を変化させて、記録単位内の記録マークの長さを変化させて多値情報を情報記録媒体に記録し、１個の記録パルスで記録マークを記録する情報記録装置（例えば、特許文献１参照）があった。
【特許文献１】特開２００２−２４５６２６公報
【発明の開示】
【発明が解決しようとする課題】
【０００３】
しかしながら、従来の情報記録装置では、最大記録マークの長さが記録単位の長さよりも短くなるので、最大マークと最小マーク（記録単位内にマークを記録しない場合）の再生信号値の差（ダイナミックレンジ）が小さくなり、ノイズによる多値データの読み取りエラーが増大するという問題があった。
また、記録単位内の記録マークの長さを変化させて多値情報を情報記録媒体に記録する時に、記録マークの長さが長い場合は第２記録パルスを追加するようにすると、記録単位内での記録パルスがイレースパルスで始まり、イレースパルスで終わっているため、やはり最大記録マークの長さが記録単位の長さよりも短くなり、再生信号のダイナミックレンジが小さくなる。
さらに、実際の記録マークの形状は、長さが変化する前後非対称の三日月形状である。これは、記録マークの長さは急冷状態の時間長Ｔ３によって決定されるからである。
【０００４】
そこで、図８を用いて、記録マークの形状が三日月形になる理由を説明する。
図中の第１の照射強度Ｐ１，第２の照射強度Ｐ２，第３の照射強度Ｐ３は、Ｐ１＞Ｐ２＞Ｐ３である。
まず、同図の（ａ）に示すように、レーザパワー制御信号によってレーザ光の照射強度（レーザパワー）を第２の照射強度（第２のレーザパワー）Ｐ２とし、同図の（ｂ）に示すように、情報記録媒体の記録領域に第２のレーザパワーＰ２のイレースパルスでレーザ光のスポット（レーザビーム）Ｂ１を照射する。
【０００５】
情報記録媒体は、レーザ光のスポット（レーザビーム）Ｂ１により低温度で加熱され、レーザ光のスポット（レーザビーム）Ｂ１の移動（図中矢示ｅ）によって自然冷却され、徐々に温度が低下（徐冷）する。したがって、情報記録媒体の徐冷部分は結晶化し、高反射率部分となる。
その後、同図の（ａ）に示すように、レーザパワー制御信号によってレーザ光のレーザパワーを第１の照射強度（第１のレーザパワー）Ｐ１とし、期間Ｔ１の時間だけ情報記録媒体を高温加熱する。
情報記録媒体は、同図の（ｂ）に示すように、レーザ光のスポット（レーザビーム）Ｂ２により期間Ｔ１に相当する部分は高温加熱されるが、やはりレーザ光のスポット（レーザビーム）Ｂ２の移動によって徐冷される。従って、この部分も結晶化状態になる。
【０００６】
次に、期間Ｔ３の時間だけ第３の照射強度（第３のレーザパワー）Ｐ３とし、情報記録媒体は、同図の（ｂ）に示すように、レーザ光のスポット（レーザビーム）Ｂ３により期間Ｔ３に相当する部分を急冷する。したがって、それまで高温であった部分が急冷され、高温かつ急冷部分のみがアモルファス状態になる。
その後、同図の（ａ）に示すように、再びレーザパワーを第２のレーザパワーＰ２にし、同図の（ｂ）に示すように、レーザ光のスポット（レーザビーム）Ｂ１により低温加熱するため、同図の（ｃ）に示すように、記録マークＭの後端部（右側端部）は、アモルファス状態から結晶化状態に変化するため、その形状は三日月形になる。
この時、同じ結晶化状態であっても、高温加熱からの徐冷と低温加熱からの徐冷の２種類が存在する。これにより、記録マークを記録していない部分の反射率の変動が考えられる。
【０００７】
本来、記録マークを記録していない部分の反射率は一定であるべきであり、この変動は再生信号におけるノイズとなる。
従って、結晶化状態を高温加熱からの徐冷のみの１種類にすることにより、記録マークを記録していない部分の反射率の変動を抑えられる。
この発明は上記の点に鑑みてなされたものであり、再生信号のダイナミックレンジを大きくし、ノイズによる多値データの読み取りエラーをより低減することを目的とする。
【課題を解決するための手段】
【０００８】
この発明は上記の目的を達成するため、次の情報記録方法，情報記録装置，情報記録媒体を提供する。
（１）一定の長さの記録単位を持つ情報記録媒体に、レーザ光を照射して記録単位内の記録マークの大きさが変化するように形成することによって多値データを記録する情報記録方法において、最大記録マークが記録単位と略同じ長さで形成されるように記録する情報記録方法。
（２）上記（１）の情報記録方法において、連続する複数の記録単位に最大記録マークを連続して記録するときは、各最大記録マークがつながって形成されるように記録する情報記録方法。
【０００９】
（３）上記（１）の情報記録方法において、上記記録単位内に最大記録マークを記録するときは、その最大記録マークを記録する記録単位の直前の記録単位の終了時点ではレーザ光の照射強度を第１の照射強度Ｐ１とし、上記最大記録マークを記録する記録単位内ではレーザ光の照射強度を第３の照射強度Ｐ３とし、上記最大記録マークを記録する記録単位の直後の記録単位の開始時点ではレーザ光の照射強度を第２の照射強度Ｐ２（但し、Ｐ１＞Ｐ２＞Ｐ３）とする情報記録方法。
（４）上記（３）の情報記録方法において、上記最大記録マークを記録する記録単位内ではレーザ光の照射強度を前記第３の照射強度Ｐ３，前記第１の照射強度Ｐ１，前記第３の照射強度Ｐ３の順に変化させる情報記録方法。
【００１０】
（５）ｎ個（ｎ≧２である整数）の連続する記録単位に最大記録マークを連続して記録するときは、１番目の最大記録マークを記録する直前の記録単位の終了時点ではレーザ光の照射強度を第１の照射強度Ｐ１とし、１番目から（ｎ−１）番目の最大記録マークを記録する記録単位内ではレーザ光の照射強度を第３の照射強度Ｐ３，第１の照射強度Ｐ１，第３の照射強度Ｐ３，第１の照射強度Ｐ１の順に変化させ、ｎ番目の最大記録マークを記録する記録単位内ではレーザ光の照射強度を第３の照射強度Ｐ３，第１の照射強度Ｐ１，第３の照射強度Ｐ３の順に変化させ、ｎ番目の直後の記録単位の開始時点ではレーザ光の照射強度を第２の照射強度Ｐ２（但し、Ｐ１＞Ｐ２＞Ｐ３）とする情報記録方法。
【００１１】
（６）上記（１）の情報記録方法において、記録単位内に最大記録マークを記録するときは、その最大記録マークを記録する記録単位の直前の記録単位の終了時点ではレーザ光の照射強度を第１の照射強度Ｐ１とし、上記最大記録マークを記録する記録単位内ではレーザ光の照射強度を第３の照射強度Ｐ３とし、上記最大記録マークを記録する記録単位の直後の記録単位の開始時点ではレーザ光の照射強度を第１の照射強度Ｐ１（但し、Ｐ１＞Ｐ３）とする情報記録方法。
（７）上記（６）の情報記録方法において、上記最大記録マークを記録する記録単位内ではレーザ光の照射強度を第３の照射強度Ｐ３，第１の照射強度Ｐ１，第３の照射強度Ｐ３の順に変化させる情報記録方法。
【００１２】
（８）上記（２）の情報記録方法において、ｎ個（ｎ≧２である整数）の連続する記録単位に最大記録マークを連続して記録するときは、１番目の最大記録マークを記録する直前の記録単位の終了時点ではレーザ光の照射強度を第１の照射強度Ｐ１とし、１番目から（ｎ−１）番目の最大記録マークを記録する記録単位内ではレーザ光の照射強度を第３の照射強度Ｐ３，第１の照射強度Ｐ１，第３の照射強度Ｐ３，第１の照射強度Ｐ１の順に変化させ、ｎ番目の最大記録マークを記録する記録単位内ではレーザ光の照射強度を第３の照射強度Ｐ３，第１の照射強度Ｐ１，第３の照射強度Ｐ３の順に変化させ、ｎ番目の直後の記録単位の開始時点ではレーザ光の照射強度を第１の照射強度Ｐ１（但し、Ｐ１＞Ｐ３）とする情報記録方法。
【００１３】
（９）レーザ光を照射するレーザ光照射手段を有し、一定の長さの記録単位を持つ情報記録媒体に、上記レーザ光照射手段によってレーザ光を照射して記録単位内の記録マークの大きさが変化するように形成することによって多値データを記録する情報記録装置において、連続する第１の多値データと第２の多値データをそれぞれ保持する第１の保持手段と第２の保持手段と、上記第２の保持手段に保持された上記第２の多値データが、最大記録マークに対応する多値データであることを検出したことを示す検出信号を出力する検出手段と、その検出手段によって出力された検出信号と、上記第１の保持手段に保持された上記第１の多値データとに基づいて上記レーザ光照射手段によって照射するレーザ光の照射強度を制御する制御手段を設けた情報記録装置。
【００１４】
（１０）一定の長さの記録単位を持ち、その記録単位内に最大記録マークが上記記録単位と略同じ長さで形成されて記録されている情報記録媒体。
（１１）上記（１０）の情報記録媒体において、連続する複数の記録単位にそれぞれ最大記録マークがつながるように形成されて記録されている情報記録媒体。
【発明の効果】
【００１５】
この発明による情報記録方法，情報記録装置，情報記録媒体は、再生信号のダイナミックレンジを大きくし、ノイズによる多値データの読み取りエラーをより低減することができる。
【発明を実施するための最良の形態】
【００１６】
以下、この発明を実施するための最良の形態を図面に基づいて具体的に説明する。
この発明の一実施例である情報記録方法で最大記録マークを記録する処理について説明する。
図１は、この発明の一実施例の情報記録方法で最大記録マークを記録するときのレーザパワー制御信号の一例を示す図である。
情報記録媒体にレーザ光を照射して記録マークを記録するときは、情報記録媒体としてはＤＶＤ＋ＲＷディスクを使用し、光ピックアップ装置にはレーザ光の波長が６５０ｎｍであるレーザダイオード（ＬＤ）を使用する（例えば、参考文献１：清水明彦、外６名，「相変化型光ディスクへの多値記録技術」，Ｒｉｃｏｈ  Ｔｅｃｈｎｉｃａｌ  Ｒｅｐｏｒｔ，株式会社リコー，２００２年１２月，Ｎｏ．２８，ｐ．３４−ｐ．４１を参照）。より高密度記録ができる青色レーザとそのレーザ波長に対応した相変化型の情報記録媒体を使用しても良い。
【００１７】
図１の（ａ）に示すように、記録単位１０ａ〜１０ｃにそれぞれ記録マーク２，最大記録マーク１，記録マーク３を記録する場合（最大記録マーク１とその前後には最大記録マーク１以外の記録マーク２，３を記録する場合）を説明する。ただし、Ｐ１＞Ｐ２＞Ｐ３である。
まず、記録単位１０ａに対して、図１の（ｂ）に示すように、第１のレーザパワー制御信号により、ＬＤのレーザ光を期間ｔ１は第２の照射強度（第２のレーザパワー）Ｐ２で、期間ｔ２は第１の照射強度（第１のレーザパワー）Ｐ１で、期間ｔ３は第３の照射強度（第３のレーザパワー）Ｐ３でそれぞれ照射するように照射強度を変化させ、記録マーク２を記録単位１０ａに記録する。
記録単位１０ａの後半部は、ＬＤのレーザ光を期間ｔ４は第２のレーザパワーＰ２で、期間ｔ５は第１のレーザパワーＰ１で照射するように照射強度を段階的に上昇させ、最大記録マーク１の長さが記録単位１０ａの長さと概略一致するようにする。
【００１８】
次に、記録単位１０ｂ内（期間（時間長）Ｔ３）では第３のレーザパワーＰ３まで落として一定に保持する。すると、記録マークの長さは急冷状態の期間Ｔ３によって決定されるため、記録単位１０ｂにその長さとほぼ同じ長さの最大記録マーク１を記録することができる。
その後、記録単位１０ｃに対して、ＬＤのレーザ光を期間ｔ６は第２のレーザパワーＰ２で、期間ｔ７は第１のレーザパワーＰ１で、期間ｔ８は第３のレーザパワーＰ３で、期間ｔ９は第２のレーザパワーＰ２でそれぞれ照射するように照射強度を変化させ、記録マーク３を記録単位１０ｃに記録する。
このようにして、レーザ光の照射強度を３段階に変化させて情報記録媒体に記録マークを記録し、最大記録マークを記録する時は、その前の記録単位から高温加熱を開始し、最大記録マークを記録する記録単位内では急冷を行い、その次の記録単位の開始時点で徐冷を開始することにより、最大記録マークの長さと記録単位の長さをほぼ同じにすることができ、再生信号のダイナミックレンジを大きくすることができる。
【００１９】
次に、この発明の一実施例である情報記録方法で長い記録マークを安定して記録する処理について説明する。
この処理では、図１の（ｃ）に示すように、第２のレーザパワー制御信号により、記録単位１０ｂ内では期間ｔ１０は第３のレーザパワーＰ３で、期間ｔ１１は第１のレーザパワーＰ１で、期間ｔ１２は第３のレーザパワーＰ３でそれぞれ照射するように照射強度を変化させて、記録単位１０ｂに最大記録マーク１を記録する。
このようにして、最大記録マーク１を記録する記録単位１０ｂ内で、急冷状態中にレーザパワーを第１のレーザパワーＰ１まで上げて一時的に高温加熱することにより、長い記録マークの形状を安定させて記録することができる。
【００２０】
次に、この発明の一実施例である情報記録方法で複数個の最大記録マークを連続して記録する処理について説明する。
図２は、この発明の一実施例の情報記録方法で複数個の最大記録マークを連続して記録するときのレーザパワー制御信号の一例を示す図である。ただし、Ｐ１＞Ｐ２＞Ｐ３である。
図２の（ａ）に示すように、最大記録マーク１ａ，１ｂを連続して記録し、その前後には最大記録マーク以外の記録マーク２，３を記録する場合を説明する。
【００２１】
まず、記録単位１０ａに対して、図２の（ｂ）に示すように、第３のレーザパワー制御信号により、ＬＤのレーザ光を期間ｔ１は第２のレーザパワーＰ２で、期間ｔ２は第１のレーザパワーＰ１で、期間ｔ３は第３のレーザパワーＰ３でそれぞれ照射するように照射強度を変化させ、記録マーク２を記録単位１０ａに記録する。
記録単位１０ａの後半部は、ＬＤのレーザ光を期間ｔ４は第２のレーザパワーＰ２で、期間ｔ５は第１のレーザパワーＰ１で照射するように照射強度を段階的に上昇させ、記録マーク１の長さが記録単位１０ａの長さと概略一致するようにする。
【００２２】
次に、１個目の最大記録マーク１ａを記録するため、記録単位１０ｂ内では期間ｔ６は第３のレーザパワーＰ３で、期間ｔ７は一時的に第１のレーザパワーＰ１で、期間ｔ８は第３のレーザパワーＰ３でそれぞれ照射するように照射強度を変化させて、記録単位１０ｂに最大記録マーク１ａを記録する。
続いて、２個目の最大記録マーク１ｂを記録するため、記録単位１０ｂの終端部分の期間ｔ９は第１のレーザパワーＰ１で照射し、記録単位１０ｃ内では期間ｔ１０は第３のレーザパワーＰ３で、期間ｔ１１は一時的に第１のレーザパワーＰ１で、期間ｔ１２は第３のレーザパワーＰ３でそれぞれ照射するように照射強度を変化させて、記録単位１０ｃに最大記録マーク１ｂを記録する。
【００２３】
その後、記録単位１０ｄに対して、ＬＤのレーザ光を期間ｔ１３は第２のレーザパワーＰ２で、期間ｔ１４は第１のレーザパワーＰ１で、期間ｔ１５は第３のレーザパワーＰ３で、期間ｔ１６は第２のレーザパワーＰ２でそれぞれ照射するように照射強度を変化させ、記録マーク３を記録単位１０ｄに記録する。こうして、最大記録マークがつながった時の長いマークを安定して記録することができる。
【００２４】
このようにして、レーザ光の照射強度を３段階に変化させて情報媒体に記録マークを記録し、最大記録マークをｎ個（ｎ≧２であるの整数）連続記録する時は、１番目の最大記録マークを記録する前の記録単位から高温加熱を開始し、１番目から（ｎ−１）番目の最大記録マークを記録する記録単位内では急冷中に２回の一時的な高温加熱を行い、ｎ番目の最大記録マークを記録する記録単位内では急冷中に１回の一時的な高温加熱を行い、その次の記録単位の開始時点で徐冷を開始することにより、記録マークの形状を安定させてつないで記録することができ、再生信号のダイナミックレンジを大きくすることができる。
【００２５】
次に、この発明の他の実施例の情報記録方法について説明する。
図３は、この発明の他の実施例の情報記録方法の説明に供する記録マークを記録するときのレーザパワー制御信号の一例を示す図である。
上述の実施例のレーザパワー制御信号は、レーザ光のレーザパワーを第１のレーザパワーＰ１，第２のレーザパワーＰ２，第３のレーザパワーＰ３の３値に設定する制御信号であったが、この実施例では、第１のレーザパワーＰ１と第３のレーザパワーＰ３の２値に制御するレーザパワー制御信号を使用する。
まず、記録マークを記録しない部分では、図３の（ａ）に示すように、レーザパワー制御信号により、ＬＤのレーザ光の照射強度を第１のレーザパワーＰ１とし、図３の（ｂ）に示すように、情報記録媒体の記録領域に第１のレーザパワーＰ１でレーザ光のスポット（レーザビーム）Ｂ２を照射し、高温加熱を行いながらレーザ光のスポット（レーザビーム）Ｂ１は、図中矢示ｅ方向へ移動する。
【００２６】
情報記録媒体は、高温加熱後に自然冷却（徐冷）されるので結晶化状態になる。そこで、記録マークを記録する部分では、図３の（ａ）に示すように、期間Ｔ３は第３のレーザパワーＰ３とし、情報記録媒体の記録領域に第３のレーザパワーＰ３でレーザ光のスポット（レーザビーム）Ｂ３を照射する。これにより、高温加熱されていた部分が急冷され、情報記録媒体上にアモルファスの記録マークＭが形成される。
記録マークＭの長さに対応する時間Ｔ３後、図３の（ａ）に示すように、再びレーザ光の照射強度を第１のレーザパワーＰ１にし、情報記録媒体の記録領域に第１のレーザパワーＰ１でレーザ光のスポット（レーザビーム）Ｂ１を照射すると、高温加熱と徐冷により結晶化状態に変化する。
このように、記録マークＭを記録しない部分は、高温加熱と徐冷のみによる結晶化状態となるため、均質な反射率が得られる。その結果、記録マークＭを記録していない部分の反射率の変動を抑え、再生信号におけるノイズを低減することができる。
【００２７】
次に、第１のレーザパワーＰ１と第３のレーザパワーＰ３の２値のレーザパワー制御信号を使用して最大記録マークの長さを記録単位の長さと概略一致させる情報記録方法について説明する。
図４は、第１のレーザパワーＰ１と第３のレーザパワーＰ３の２値のレーザパワー制御信号を使用して最大記録マークの長さを記録単位の長さと概略一致させる情報記録方法の説明に供する図である。
図４の（ａ）に示すように、記録単位１０ａ〜１０ｃにそれぞれ記録マーク２，最大記録マーク１，記録マーク３を記録する場合（最大記録マーク１とその前後には最大記録マーク１以外の記録マーク２，３を記録する場合）を説明する。ただし、Ｐ１＞Ｐ２＞Ｐ３である。
【００２８】
まず、記録単位１０ａに対して、図４の（ｂ）に示すように、第４のレーザパワー制御信号により、ＬＤのレーザ光を期間ｔ１は第１のレーザパワーＰ１で、期間ｔ２は第３のレーザパワーＰ３でそれぞれ照射するように照射強度を変化させ、記録マーク２を記録単位１０ａに記録する。
記録単位１０ａの後半部は、ＬＤのレーザ光を期間ｔ３は第１のレーザパワーＰ１で照射するように照射強度を上昇させ、記録マーク１の長さが記録単位１０ａの長さと概略一致するようにする。
次に、記録単位１０ｂ内では第３のレーザパワーＰ３まで落として一定に保持する。すると、記録マークの長さは急冷状態の期間Ｔ３によって決定されるため、記録単位１０ｂにその長さとほぼ同じ長さの最大記録マーク１を記録することができる。
その後、記録単位１０ｃに対して、ＬＤのレーザ光を期間ｔ４は第１のレーザパワーＰ１で、期間ｔ５は第３のレーザパワーＰ３で、期間ｔ６は第１のレーザパワーＰ１でそれぞれ照射するように照射強度を変化させ、記録マーク３を記録単位１０ｃに記録する。
【００２９】
このようにして、レーザ光の照射強度を２段階に変化させて情報媒体に記録マークを記録し、最大記録マークを記録する時は、その前の記録単位から高温加熱を開始し、最大記録マークを記録する記録単位内では急冷を行い、その次の記録単位の開始時点では高温加熱を開始することにより、最大記録マークの長さと記録単位の長さをほぼ同じにすることができ、再生信号のダイナミックレンジを大きくすることができる。
【００３０】
次に、この発明の他の実施例である情報記録方法で長い記録マークを安定して記録する処理について説明する。
この処理では、図４の（ｃ）に示すように、第５のレーザパワー制御信号により、記録単位１０ｂ内では期間ｔ７は第３のレーザパワーＰ３で、期間ｔ８は第１のレーザパワーＰ１で、期間ｔ９は第３のレーザパワーＰ３でそれぞれ照射するように照射強度を変化させて、記録単位１０ｂに最大記録マーク１を記録する。
このようにして、最大記録マーク１を記録する記録単位１０ｂ内で、急冷状態中にレーザパワーを第１のレーザパワーＰ１まで上げて一時的に高温加熱することにより、長い記録マークの形状を安定させて記録することができる。
このようにして、最大記録マーク１を記録する記録単位１０ｂ内で、急冷状態中にレーザパワーを第１のレーザパワーＰ１まで上げて一時的に高温加熱することにより、長い記録マークの形状を安定させて記録することができる。
【００３１】
次に、この発明の他の実施例である情報記録方法で複数個の最大記録マークを連続して記録する処理について説明する。
図５は、この発明の他の実施例の情報記録方法で複数個の最大記録マークを連続して記録するときのレーザパワー制御信号の一例を示す図である。ただし、Ｐ１＞Ｐ３である。
この処理では、第１のレーザパワーＰ１と第３のレーザパワーＰ３の２値の第６のレーザパワー制御信号を使用して、図５の（ａ）に示すように、最大記録マーク１ａ，１ｂを連続して記録し、その前後には最大記録マーク以外の記録マーク２，３を記録する場合を説明する。
【００３２】
まず、記録単位１０ａに対して、図５の（ｂ）に示すように、第６のレーザパワー制御信号により、ＬＤのレーザ光を期間ｔ１は第１のレーザパワーＰ１で、期間ｔ２は第３のレーザパワーＰ３でそれぞれ照射するように照射強度を変化させ、記録マーク２を記録単位１０ａに記録する。
記録単位１０ａの後半部は、ＬＤのレーザ光を期間ｔ３は第１のレーザパワーＰ１で照射するように照射強度を上昇させ、記録マーク１の長さが記録単位１０ａの長さと概略一致するようにする。
【００３３】
次に、１個目の最大記録マーク１ａを記録するため、記録単位１０ｂ内では期間ｔ４は第３のレーザパワーＰ３で、期間ｔ５は一時的に第１のレーザパワーＰ１で、期間ｔ６は第３のレーザパワーＰ３でそれぞれ照射するように照射強度を変化させて、記録単位１０ｂに最大記録マーク１ａを記録する。
続いて、２個目の最大記録マーク１ｂを記録するため、記録単位１０ｂの終端部分の期間ｔ７は第１のレーザパワーＰ１で照射し、記録単位１０ｃ内では期間ｔ８は第３のレーザパワーＰ３で、期間ｔ９は一時的に第１のレーザパワーＰ１で、期間ｔ１０は第３のレーザパワーＰ３でそれぞれ照射するように照射強度を変化させて、記録単位１０ｃに最大記録マーク１ｂを記録する。
【００３４】
その後、記録単位１０ｄに対して、ＬＤのレーザ光を期間ｔ１１は第１のレーザパワーＰ１で、期間ｔ１２は第３のレーザパワーＰ３で、期間ｔ１３は第１のレーザパワーＰ１でそれぞれ照射するように照射強度を変化させ、記録マーク３を記録単位１０ｄに記録する。こうして、最大記録マークがつながった時の長いマークを安定して記録することができる。
【００３５】
このようにして、レーザ光の照射強度を２段階に変化させて情報媒体に記録マークを記録し、最大記録マークをｎ個（ｎ≧２であるの整数）連続記録する時は、１番目の最大記録マークを記録する前の記録単位から高温加熱を開始し、１番目から（ｎ−１）番目の最大記録マークを記録する記録単位内では急冷中に２回の一時的な高温加熱を行い、ｎ番目の最大記録マークを記録する記録単位内では急冷中に１回の一時的な高温加熱を行い、その次の記録単位の開始時点で高温加熱を開始することにより、記録マークの形状を安定させてつないで記録することができ、再生信号のダイナミックレンジを大きくすることができる。
【００３６】
上述した各実施例は、情報としての多値データを記録する時の最大記録マークを記録する時の実施例であるが、例えば情報以外の信号に本情報記録方法を使用しても良い。
例えば、図６に示すような多値信号の最大値と最小値が連続するような信号における最大記録マークの連続部分に本情報記録方法を使用すると良い。
最大値と最小値が連続するような信号は、情報を示す信号にはあまり発生しないので、その特長を利用して同期信号や再生信号の振幅を一定値に補正するための基準信号として用いるのに適している。これらの信号は安定して再生される必要があるので、図２に示した第３のレーザパワー制御信号によって、連続する最大記録マークを記録すると良い。
【００３７】
このようにして、レーザ光の照射強度を３段階に変化させて情報媒体に記録マークを記録し、情報以外の所定の信号として最大記録マークをｎ個（ｎ≧２であるの整数）連続記録する時は、１番目の最大記録マークを記録する前の記録単位から高温加熱を開始し、１番目から（ｎ−１）番目の最大記録マークを記録する記録単位内では急冷中に２回の一時的な高温加熱を行い、ｎ番目の最大記録マークを記録する記録単位内では急冷中に１回の一時的な高温加熱を行い、その次の記録単位の開始時点で徐冷を開始することにより、記録マークの形状を安定させてつないで記録することができ、最大マークが連続する時の再生信号における振幅変動を除去することができる。
また、上記情報以外の所定の信号が同期信号にすることにより、同期信号の検出の信頼性を高くすることができる。
あるいは、上記情報以外の所定の信号が再生信号の振幅を正規化するための基準信号にすることにより、再生信号の振幅の安定性を高くすることができる。
【００３８】
次に、図５に示した第６のレーザパワー制御信号によって、連続する最大記録マークを記録しても良い。
このようにして、レーザ光の照射強度を２段階に変化させて情報媒体に記録マークを記録し、情報以外の所定の信号として最大記録マークをｎ個（ｎ≧２であるの整数）連続記録する時は、１番目の最大記録マークを記録する前の記録単位から高温加熱を開始し、１番目から（ｎ−１）番目の最大記録マークを記録する記録単位内では急冷中に２回の一時的な高温加熱を行い、ｎ番目の最大記録マークを記録する記録単位内では急冷中に１回の一時的な高温加熱を行い、その次の記録単位の開始時点で高温加熱を開始することにより、記録マークの形状を安定させてつないで記録することができ、最大マークが連続する時の再生信号における振幅変動を除去することができる。
また、上記情報以外の所定の信号を同期信号にすることにより、同期信号の検出の信頼性を高くすることができる。
さらに、上記情報以外の所定の信号が再生信号の振幅を正規化するための基準信号にすることにより、再生信号の振幅の安定性を高くすることができる。
【００３９】
以上の実施例では、記録単位内に最大記録マークを記録する時、及び最大記録マークを連続して記録する時は、次に記録する記録マークが最大記録マークであるか否かを判別する必要がある。
次に、この発明の情報記録装置の実施例を説明する。
この実施例の情報記録装置は、連続して多値データを入力して記録マークを記録する時に、後続の多値データが最大記録マークに対応した多値データであることを検出し、レーザパワー制御信号を出力する。
【００４０】
図７は、この発明の情報記録装置の一構成例を示すブロック図である。
この情報記録装置は、多値データに基づいてレーザパワー制御信号を出力する装置であり、連続する２個の第１の多値データと第２の多値データをそれぞれ保持する第１の保持手段である第１レジスタ２０と第２の保持手段である第２レジスタ２１と、第２レジスタ２１に保持された第２の多値データが、最大記録マークに対応する多値データであることを検出したことを示す検出信号を出力する検出手段である最大レベル検出回路２２と、その最大レベル検出回路２２によって出力された検出信号と、第１レジスタ２０に保持された第１の多値データとに基づいてレーザ光照射手段であるＬＤによって照射するレーザ光の照射強度を制御するレーザパワー制御信号を生成して出力する制御手段である波形生成回路２３とからなる。
【００４１】
ここでは一例として、多値データを８値データとし、そのレベルを０から７とする。
多値データがレベル０の時は、記録マークを記録しない状態とし、レベル１からレベル７に対応して記録マークの長さを７通りに変化させて、情報記録媒体に多値データ（８値データ）を記録する。
従って、最大記録マークを記録する時の多値データはレベル７（最大レベル）である。
【００４２】
次に、図６に示す情報記録装置の動作について説明する。
まず、初期値として第１レジスタ２０と第２レジスタ２１には、レベル０の多値データを設定する。
次に、記録する多値データを入力し、連続する２個の多値データを第１レジスタ２０と第２レジスタ２１に保持する。入力した第１番目の多値データが第２レジスタ２１に保持された時は、それまで保持されていた初期値（レベル０）が第１レジスタ２０に転送されて保持される。
従って、第１レジスタ２０にはレベル０が保持されている。次に、最大レベル検出回路２２が第２レジスタ２１に保持された多値データが最大レベル（レベル７）で無ければ、その検出信号を波形生成回路２３へ出力し、波形生成回路２３は、レベル０に対応する記録マークを記録する（記録マークを記録しない）ためのレーザパワー制御信号を生成して出力する。
【００４３】
あるいは、第１レジスタ２０のレベル０は、情報としては意味の無い初期値であるため、情報記録媒体に記録しないようにし、その次の多値データから記録しても良い。
波形生成回路２３は、第１レジスタ２０に保持された多値データに対応する記録マークを記録するためのレーザパワー制御信号を出力する。
また、後続の多値データ（第２レジスタ２１に保持された多値データ）が最大レベルである場合は、第１レジスタ２０に保持された多値データに対応する記録マークを記録した後、その記録単位の終端に近い部分で、次の記録単位に最大記録マークを記録するためのレーザパワー制御信号を出力する。
あるいは、後続の多値データ（第２レジスタ２１に保持された多値データ）が最大レベルでない場合は、第１レジスタ２０に保持された多値データに対応する記録マークを記録するだけのレーザパワー制御信号を出力する。
【００４４】
このように、波形生成回路２３では、最大レベル検出回路２２からの検出信号によってレーザパワー制御信号を切り換えて出力する。
さらに、最大レベルが連続する（第１レジスタ２０と第２レジスタ２１にそれぞれレベル７が保持されている）場合は、その記録単位の終端にパルスを追加する。
そして、最大レベルの多値データ（第１レジスタ２０に保持されたレベル７）を記録した後、次の多値データ（第２レジスタ２１に保持された多値データ）が最大レベルで無い場合は、その記録単位の終端にパルスを追加しないようにする。
このようにして、連続する２個の多値データを保持して、最大レベル（最大記録マークに対応する多値データ）であるか否かを検出することにより、記録単位と概略同じ長さの最大記録マークを記録する。または、最大記録マークが連続する時は、記録マークをつなげて記録するための適切なレーザパワー制御信号を出力することができる。
【００４５】
このようにして、第１の保持手段と第２の保持手段に、それぞれ連続する第１の多値データと第２の多値データを保持し、検出手段によって、第２の保持手段に保持された第２の多値データが最大記録マークに対応する多値データであることを検出し、その検出信号を出力すると、制御手段が上記検出手段から出力される検出信号と、第１の保持手段に保持された第１の多値データに基づいてレーザパワーを制御するための信号を出力するので、最大記録マークを記録する時は、その前の記録単位から高温加熱を開始することができ、更に、最大記録マークがその後連続するか否かを判断でき、最大記録マークの長さと記録単位の長さをほぼ同じにし、最大記録マークが連続する時は記録マークをつなげることができる。
【００４６】
この実施例の情報記録方法と情報記録装置は、再生信号のダイナミックレンジを大きくし、ノイズによる多値データの読み取りエラーをより低減することができる。
また、記録マークを記録していない部分の反射率の変動を抑え、再生信号におけるノイズを低減することができる。
さらに、最大記録マークが連続する時の再生信号における振幅変動を除去することができる。
【産業上の利用可能性】
【００４７】
この発明による情報記録方法，情報記録装置，情報記録媒体は、デスクトップパソコン，ノートブックパソコン等のパーソナルコンピュータにおいても適用することができる。
【図面の簡単な説明】
【００４８】
【図１】この発明の一実施例の情報記録方法で最大記録マークを記録するときのレーザパワー制御信号の一例を示す図である。
【図２】この発明の一実施例の情報記録方法で複数個の最大記録マークを連続して記録するときのレーザパワー制御信号の一例を示す図である。
【図３】この発明の他の実施例の情報記録方法の説明に供する記録マークを記録するときのレーザパワー制御信号の一例を示す図である。
【図４】２値のレーザパワー制御信号を使用して最大記録マークの長さを記録単位の長さと概略一致させる情報記録方法の説明に供する図である。
【００４９】
【図５】この発明の他の実施例の情報記録方法で複数個の最大記録マークを連続して記録するときのレーザパワー制御信号の一例を示す図である。
【図６】最大記録マークの連続部の振幅の変化を示す波形図である。
【図７】この発明の情報記録装置の一構成例を示すブロック図である。
【図８】記録マークの形状が三日月形になる理由の説明に供する図である。
【符号の説明】
【００５０】
１：最大記録マーク    ２，３：記録マーク    １０ａ〜１０ｄ：記録単位    ２０：第１レジスタ    ２１：第２レジスタ    ２２：最大レベル検出回路    ２３：波形生成回路
【図１】
2005267739.tif 000003
【図２】
2005267739.tif 000004
【図３】
2005267739.tif 000005
【図４】
2005267739.tif 000006
【図５】
2005267739.tif 000007
【図６】
2005267739.tif 000008
【図７】
2005267739.tif 000009
【図８】
2005267739.tif 000010